(57)【要約】人体をアンテナとして利用した地上波ＤＭＢ受信装置およびその受信方法が提供される。地上波ＤＭＢ受信装置は、人体と接触する電極と、地上波中継器を通じて送出されたＤＭＢ放送信号に対応して、人体に流れる電流を電極を通じて受信し、かつ受信した電流を増幅する低周波増幅部と、電極と低周波増幅部との間に位置して、人体のインピーダンスと低周波増幅部のインピーダンスとを整合するインピーダンス整合回路と、を備える。これにより、別途のアンテナを備えずに携帯が簡便な地上波ＤＭＢ受信装置が実装される。
2008541604.tif 000002
【特許請求の範囲】
【請求項１】
人体をアンテナとして利用する地上波デジタルマルチメディア放送（Ｔ−ＤＭＢ）受信装置であって、
前記Ｔ−ＤＭＢ受信装置は、
前記人体と接触する電極と、
地上波中継器によって送出されたＤＭＢ放送信号に対応して、人体に流れる電流を前記電極を通じて受信し、かつ受信した前記電流を増幅する低周波増幅部と、
前記電極と前記低周波増幅部との間に位置して、前記人体のインピーダンスと前記低周波増幅部のインピーダンスとを整合するインピーダンス整合回路と
を備えることを特徴とするＴ−ＤＭＢ受信装置。
【請求項２】
前記低周波増幅部は、前記アンテナの損失を補償できる特定値以上の利得特性を有することを特徴とする請求項１に記載のＴ−ＤＭＢ受信装置。
【請求項３】
前記インピーダンス整合回路は、インダクタ及びキャパシタを備える小型の集中素子を使用して実装されることを特徴とする請求項１に記載のＴ−ＤＭＢ受信装置。
【請求項４】
ＤＭＢ放送受信用アンテナが結合されるアンテナ端子と、
前記アンテナ端子に結合されたＤＭＢ放送受信用アンテナを通じて受信したＤＭＢ放送信号及び前記低周波増幅部によって増幅されたＤＭＢ放送信号のうち一つを選択する信号選択スイッチと
をさらに備えることを特徴とする請求項１に記載のＴ−ＤＭＢ受信装置。
【請求項５】
人体をアンテナとして使用する地上波デジタルマルチメディア放送（Ｔ−ＤＭＢ）中継装置であって、Ｔ−ＤＭＢデータの周波数より高い高周波帯域の信号を受信する高周波受信機を含むＴ−ＤＭＢ受信装置にＴ−ＤＭＢデータを中継するＴ−ＤＭＢ中継装置であって、
前記Ｔ−ＤＭＢ中継装置は、
前記人体と接触する電極と、
ＤＭＢ放送信号に対応して人体に流れる電流を前記電極を通じて受信し、かつ受信した前記電流を増幅する低周波増幅部と、
前記電極と前記低周波増幅部との間に位置して、前記人体のインピーダンス及び前記低周波増幅部のインピーダンスを整合するインピーダンス整合回路と、
前記低周波増幅部によって増幅された前記電流を前記Ｔ−ＤＭＢ受信装置の高周波受信機に該当する高周波信号に変換する上向き周波数変換部と、
前記変換された高周波帯域の信号を送信する送信アンテナと
を備えることを特徴とするＴ−ＤＭＢ中継装置。
【請求項６】
時計形態の構造において前記電極は、前記時計形態の構造の下面に備えられ、
前記低周波増幅部、前記インピーダンス整合回路、及び前記上向き周波数変換部は、前記時計形態の構造内部に備えられることを特徴とする請求項５に記載のＴ−ＤＭＢ中継装置。
【請求項７】
人体をアンテナとして使用する地上波デジタルマルチメディア放送（Ｔ−ＤＭＢ）受信装置であって、
前記Ｔ−ＤＭＢ受信装置は、
人体と接触する電極を通じて、ＤＭＢ放送信号に対応して人体に流れる電流を受信して、受信した前記電流を増幅して、前記人体とインピーダンス整合する第１の受信部と、
所定のＴ−ＤＭＢ中継装置によって高周波信号に変換されたＤＭＢ放送信号を受信する第２の受信部と、
所定の選択信号によって前記第１の受信部または前記第２の受信部のうちの１つによって受信されたＤＭＢ放送信号を選択する信号選択スイッチと
を備えることを特徴とするＴ−ＤＭＢ受信装置。
【請求項８】
前記第１の受信部は、
前記人体と接触する電極と、
ＤＭＢ放送信号に対応して前記人体に流れる電流を前記電極を通じて受信し、かつ受信した前記電流を増幅する低周波増幅部と、
前記電極と前記低周波増幅部との間に位置して、前記人体のインピーダンス及び前記低周波増幅部のインピーダンスを整合するインピーダンス整合回路と
を備えることを特徴とする請求項７に記載のＴ−ＤＭＢ受信装置。
【請求項９】
前記第２の受信部は、
前記Ｔ−ＤＭＢ中継装置から送信され、高周波に変換されたＤＭＢ放送信号を受信する受信アンテナと、
前記高周波のＤＭＢ放送信号を増幅する高周波増幅部と、
前記増幅されたＤＭＢ放送信号を元のＤＭＢ放送信号の周波数帯域に変換する下向き周波数変換部と
を備えることを特徴とする請求項７に記載のＴ−ＤＭＢ受信装置。
【請求項１０】
人体を使用した地上波デジタルマルチメディア放送（Ｔ−ＤＭＢ）を受信する方法において、所定の受信回路を備えるＴ−ＤＭＢ受信装置を通じてＴ−ＤＭＢ信号を受信する方法であって、
前記方法は、
（ａ）前記Ｔ−ＤＭＢ受信装置のインピーダンスと前記人体のインピーダンスとを整合するステップと、
（ｂ）前記インピーダンス整合ステップの後、ＤＭＢ放送信号に対応して前記人体に流れる電流を測定するステップと、
（ｃ）前記測定された電流を増幅するステップと
を含むことを特徴とするＴ−ＤＭＢ受信方法。
【請求項１１】
（ｄ）所定のＤＭＢ中継装置から送信され、高周波に変換されたＤＭＢ放送を受信するステップと、
（ｅ）所定の選択信号によって、前記ステップ（ｃ）から出力される信号または前記ステップ（ｄ）から出力される信号を選択するステップと
をさらに含むことを特徴とする請求項１０に記載のＴ−ＤＭＢ受信方法。
【発明の詳細な説明】
【技術分野】
【０００１】
本発明は地上波ＤＭＢ（Ｔ−ＤＭＢ）の受信装置及びその受信方法に関し、さらに詳細には、人体アンテナを利用したＴ−ＤＭＢ受信装置及びその受信方法に関する。
【背景技術】
【０００２】
ＤＭＢ（Digital Multimedia Broadcasting）は、車両または歩行で移動中であるユーザにオーディオ、ビデオ及び各種のデータなどの多様なマルチメディアサービスを提供するものであって、地上波ＤＭＢ（Ｔ−ＤＭＢ）と衛星ＤＭＢ（Ｓ−ＤＭＢ）とに大別される。このうち、地上波ＤＭＢは、現在アナログＴＶ放送に使われている放送用基地局を利用して、約２００ＭＨｚ帯域のＶＨＦ（Very High Frequency）帯域信号を送信し、ユーザは、それぞれ所有している受信機を利用して信号を受信する。車両用、固定用及び携帯用の地上波ＤＭＢ受信機など多様な地上波ＤＭＢ受信機の形態がこのような地上波ＤＭＢサービスに使われており、この中でも携帯用の地上波ＤＭＢ受信機または携帯電話と結合した受信機形態の携帯用の地上波ＤＭＢ受信機に対する需要が飛躍的に増大することが予想されている。
【０００３】
地上波ＤＭＢ受信機に使われるアンテナのサイズは、使用される周波数の波長に比例する。地上波ＤＭＢ受信機は、２００ＭＨｚの低い周波数帯域を使用するので、８００ＭＨｚ以上の周波数を使用する通常の無線通信端末機のアンテナに比べてさらに大きいアンテナを使用しなければならない。例えば、無線通信端末機に多く使われているモノポールアンテナの場合、アンテナの長さは、使われる周波数に該当する波長の１／４のサイズであって、これを２００ＭＨｚ帯域の地上波ＤＭＢ受信機に適用する場合、アンテナの長さは約３７.５ｃｍと、その長さが非常に長いので、ユーザにとっては地上波ＤＭＢ受信機の持ち運びが非常に難しい。
【０００４】
このような問題点を解決するために、各種のアンテナ小型化技法を利用してアンテナを小型化した後、これを受信機の内部に内蔵する内蔵型アンテナが提案されている。このような内蔵型アンテナは、モノポールアンテナに比べてサイズが小さいという長所があるが、受信機の内部に内蔵されることによって受信感度が低下するという短所を有している。また、ユーザが受信機を携帯する場合に、受信機とユーザの人体とが近接することにより、アンテナの受信特性がユーザの人体によって影響を受け、そして、アンテナの入力整合条件が変動するため受信特性が低下する。
【発明の開示】
【発明が解決しようとする課題】
【０００５】
本発明は、地上波ＤＭＢ受信装置が携帯に便利で受信特性に優れるように、ユーザの人体をアンテナとして使用する地上波ＤＭＢ受信装置及びその受信方法を提供する。
【課題を解決するための手段】
【０００６】
本発明の一態様によれば、人体をアンテナとして利用した地上波デジタルマルチメディア放送（Ｔ−ＤＭＢ）受信装置が提供されるが、当該Ｔ−ＤＭＢ受信装置は、人体と接触される電極と、地上波中継器によって送出されたＤＭＢ放送信号に対応して、人体に流れる電流を前記電極を通じて受信し、かつ受信した電流を増幅する低周波増幅部と、電極と低周波増幅部との間に位置して、人体のインピーダンスと低周波増幅部のインピーダンスとを整合するインピーダンス整合回路と、を備える。
【０００７】
本発明の他の態様によれば、人体をアンテナとして利用した地上波デジタルマルチメディア放送（Ｔ−ＤＭＢ）中継装置であって、Ｔ−ＤＭＢ放送の周波数よりも高い高周波帯域の信号を受信する高周波受信機が備えられたＴ−ＤＭＢ受信装置にＴ−ＤＭＢデータが中継されるＴ−ＤＭＢ中継装置が提供されるが、当該Ｔ−ＤＭＢ中継装置は、人体と接触される電極と、ＤＭＢ放送信号に対応して人体に流れる電流を当該電極を通じて受信し、かつ受信した電流を増幅する低周波増幅部と、電極と低周波増幅部との間に位置して、人体のインピーダンス及び低周波増幅部のインピーダンスを整合するインピーダンス整合回路と、低周波増幅部によって増幅された電流をＴ−ＤＭＢ受信装置の高周波受信機に該当する高周波信号に変換する上向き周波数変換部と、を備える。
【０００８】
本発明の他の態様によれば、人体をアンテナとして利用した地上波デジタルマルチメディア放送（Ｔ−ＤＭＢ）受信装置が提供されるが、当該Ｔ−ＤＭＢ受信装置は、人体と接触される電極を通じてＤＭＢ放送信号に対応して人体に流れる電流を受信し、受信した電流を増幅し、人体とインピーダンス整合する第１の受信部と、所定のＴ−ＤＭＢ中継装置によって高周波信号に変換されたＤＭＢ放送信号を受信する第２の受信部と、所定の選択信号によって第１の受信部によって受信されたＤＭＢ放送信号または第２の受信部によって受信されたＤＭＢ放送信号を選択する信号選択スイッチと、を備える。
【０００９】
本発明の他の態様によれば、人体を利用した地上波デジタルマルチメディア放送（Ｔ−ＤＭＢ）の受信方法であって、Ｔ−ＤＭＢ信号が所定の受信回路を備えるＴ−ＤＭＢ受信装置を通じてＴ−ＤＭＢ信号を受信する方法であって、（ａ）地上波ＤＭＢ受信装置のインピーダンスと人体のインピーダンスとを整合するステップと、（ｂ）インピーダンス整合後、ＤＭＢ放送信号に対応して人体に流れる電流を測定するステップと、（ｃ）測定された電流を増幅するステップと、を含む。
【００１０】
したがって、別個のアンテナがなくても持ち運びしやすいＴ−ＤＭＢ受信装置を実装することができる。
【発明の効果】
【００１１】
本発明によれば、人体を地上波ＤＭＢ受信装置のアンテナとして使用することにより、別個のアンテナが不要であるので、地上波ＤＭＢ受信装置の携帯が便利である。地上波ＤＭＢ中継装置または脱着式アンテナを使用することにより、人体と地上波ＤＭＢ受信装置とが接触しない場合にも、ＤＭＢ放送信号の受信が可能である。
【発明を実施するための最良の形態】
【００１２】
以下で、本発明の例示的な実施形態が示されている添付図面を参照して、人体アンテナを利用した地上波ＤＭＢ受信装置及びその受信方法について詳細に説明する。
【００１３】
図１は、地上波ＤＭＢ放送の周波数である２００ＭＨｚ帯域で人体を構成する各種の組織／臓器の導電率を示す図面である。
【００１４】
図１を参照すれば、１.５℃の水が３００ＭＨｚで約０.０４７Ｓ／ｍの導電率を表すことを勘案するとき、人体も電流が流れる導線の役割を行えるということが分かる。特に、人体の身長、すなわち、１ｍ〜２ｍを地上波ＤＭＢ受信装置が使用する周波数である２００ＭＨｚ帯域の波長（λ）と比較するとき、１ｍ〜２ｍの身長は、０.７λ〜１.３λに相当するので、人体がアンテナの役割を行える十分な長さの導線として動作しうるということが分かる。
【００１５】
また、ユーザと遠く離れている放送用基地局から送信されたＤＭＢ放送信号、すなわち、電波信号の振幅は、空気及び各種の構造体による損失によって、ユーザ位置では非常に小さいので、人体を携帯用の地上波ＤＭＢ受信装置のアンテナとして使用する場合、受信された電波信号によって人体を流れる電流の振幅も非常に小さくて、電流が人体に及ぼす影響は、非常に微小であるといえる。
【００１６】
図２は、人体に対するアンテナ特性をシミュレートするための人体モデルを示す。
【００１７】
図２を参照すれば、人体モデルの手の部位に小さい電源が供給され、足下の地面は、金属板でモデリングされている。人体モデルは、標準体型を有する成人男子を対象として、総３２個の人体組織及び臓器でモデリングし、モデルに使われた各人体組織及び臓器の誘電率及び導電率は、米連邦通信委員会（ＦＣＣ：Federal Communications Commission）が提供する値を使用した。
【００１８】
図３Ａ及び図３Ｂは、図２の人体モデルを使用してシミュレートされた人体のアンテナ特性を示す図面である。
【００１９】
図３Ａを参照すれば、図２の地面下を除外した残りの全方向に対して、約−４０ｄＢｉ以上及び最大−２５．５ｄＢｉのアンテナ利得特性を示している。
【００２０】
図３Ｂを参照すれば、人体アンテナは、１７０ＭＨｚ〜２３０ＭＨｚの周波数帯域において、−２７．５ｄＢｉ以上の最大アンテナ利得特性を示している。
【００２１】
図３Ａ及び図３Ｂに示されたアンテナ利得特性は、図２の人体モデルの手の部位に電源を供給した場合の特性であり、人体の他の部位に電源を供給したとしても、類似したアンテナ利得特性を得ることができる。
【００２２】
通常の無線通信端末機で使われているアンテナの最大アンテナ利得が０ｄＢｉ以上であることを勘案するとき、人体アンテナは、非常に低いアンテナ利得を表し、したがって、人体アンテナを通じて信号を受信する場合、低いアンテナ利得による信号損失によって、受信信号の振幅が非常に小さくなる。このような信号損失を補償するためには、人体アンテナを通じて受信された信号を増幅する増幅器が要求され、この増幅器は、人体アンテナによる約２７．５ｄＢの最大信号損失を補償するために２７．５ｄＢ以上の利得を有することが望ましい。
【００２３】
また、人体アンテナは、４００Ｗ以上の非常に大きい入力インピーダンスを表すので、人体アンテナの入力インピーダンスと増幅器の入力インピーダンスとのインピーダンス整合が必要であり、このためには、増幅器と人体アンテナとの間にインピーダンス整合回路が挿し込まれなければならない。
【００２４】
通常の無線通信端末機に使われる増幅器及びインピーダンス整合回路とは異なり、本発明による人体アンテナを利用した地上波ＤＭＢ受信装置の増幅器及びインピーダンス整合回路は、２００ＭＨｚ帯域の低い周波数帯域で動作するので、地上波ＤＭＢ受信装置の増幅器の場合、低電力動作でも要求される利得特性を有しうる。また、インピーダンス整合回路は、既存の伝送線路の分散素子の代りに、インダクタ及びキャパシタなどの小型の集中素子（lumped element）を使用することができ、小型の整合回路の実装が非常に容易である。
【００２５】
図４は、本発明の一実施形態に係る、人体４００をアンテナとして使用する携帯用の地上波ＤＭＢ受信装置の概念図であり、図５は、本発明の一実施形態に係る、人体４００をアンテナとして使用する図４の携帯用の地上波ＤＭＢ受信装置４１０のブロック図である。
【００２６】
図４を参照すれば、本発明による携帯用の地上波ＤＭＢ受信装置４１０は、人体４００の手の部位に位置するが、人体４００との接触が可能な他の部位（例えば、手首、腰、胸、首など）に位置してもよい。また、人体４００と接触する地上波ＤＭＢ受信装置４１０の電極４２０は、人体との接触が可能であり、かつ電極４２０の構成が容易である、携帯用の地上波ＤＭＢ受信装置４１０の裏面や、地上波ＤＭＢ受信装置４１０の表面のいずれかの位置に位置してもよい。
【００２７】
図５を参照すれば、携帯用の地上波ＤＭＢ受信装置４１０は、従来の受信回路４５０を備える携帯用の地上波ＤＭＢ受信装置に電極４２０、インピーダンス整合回路４３０、及び低周波増幅部４４０を加えることによって実装される。
【００２８】
電極４２０は、人体４００と直接接触する部分であって、携帯用の地上波ＤＭＢ受信装置４１０の表面に金属板を形成して実装が可能であり、地上波ＤＭＢ受信装置４１０の表面のうち、十分な面積を有し、人体４００との接触が可能な所に形成される。
【００２９】
インピーダンス整合回路４３０は、人体４００のインピーダンスと低周波増幅部４４０のインピーダンスとを整合する。低周波増幅部４４０は、低周波帯域増幅器であって、地上波ＤＭＢ放送基地局から送出されたＤＭＢ放送信号に対応して人体４００に流れる電流を電極４２０を通じて受信して、受信された電流を増幅する。そして、増幅された信号は、従来の地上波ＤＭＢ受信装置の受信回路４５０に入力される。低周波増幅部４４０は、低い周波数帯域で動作するので、低電力での動作が可能であり、インピーダンス整合回路４３０は、集中素子として実装可能であるので、両者は小型化が可能である。
【００３０】
図６は、本発明の他の実施形態に係る、人体６００をアンテナとして使用する地上波ＤＭＢ受信装置６２０及び地上波ＤＭＢ中継装置６１０の概念図であり、図７は、本発明の他の実施形態に係る、人体６００をアンテナとして使用する図６の地上波ＤＭＢ中継装置６１０のブロック図である。
【００３１】
図６を参照すれば、本発明による地上波ＤＭＢ受信装置６２０は、地上波ＤＭＢ中継装置６１０を通じてＤＭＢデータを受信する。地上波ＤＭＢ中継装置６１０は、人体６００を通じて受信された信号を高周波帯域の信号に変換して、その変換した信号を地上波ＤＭＢ受信装置６２０に伝送する。
【００３２】
地上波ＤＭＢ中継装置６１０は、人体６００の手首の部位に位置しているが、人体６００との接触が可能な他の部位に位置してもよい。地上波ＤＭＢ受信装置６２０が人体と接触している場合には、図４及び図５に示された携帯用の地上波ＤＭＢ受信装置４１０のように人体６００を通じてＤＭＢデータを受信する。しかし、例えば、地上波ＤＭＢ受信装置６２０を机の上に位置させ、ユーザが地上波ＤＭＢ受信装置６２０と離れて椅子に座っている場合、ユーザが身につける地上波ＤＭＢ中継装置６１０は、地上波ＤＭＢ受信装置６２０に対して高周波帯域の信号伝送が可能である。すなわち、人体６００を通じて地上波ＤＭＢ中継装置６１０によって受信されたＤＭＢ放送信号は、高周波帯域の信号に変換されて地上波ＤＭＢ受信装置６２０に送信される。
【００３３】
図７を参照すれば、地上波ＤＭＢ中継装置６１０は、電極６３０、インピーダンス整合回路６４０、低周波増幅部６５０、上向き周波数変換部６６０、及び送信アンテナ６７０を備える。そして、地上波ＤＭＢ受信装置６２０は、地上波ＤＭＢ中継装置６１０から送信される信号を受信できるように、地上波ＤＭＢ放送信号の周波数よりも高い高周波帯域の信号を受信できる受信機を備える。
【００３４】
地上波ＤＭＢ中継装置６１０の電極６３０、インピーダンス整合回路６４０、及び低周波増幅部６５０は、図５で説明した電極４２０、インピーダンス整合回路４３０、及び低周波増幅部４４０とその構成及び機能が同一であるので、これについての詳細な説明は省略する。
【００３５】
上向き周波数変換部６６０は、低周波増幅部６５０によって増幅されたＤＭＢ放送信号を高周波のＤＭＢ放送信号に変換し、変換された高周波のＤＭＢ放送信号を、送信アンテナ６７０を通じて地上波ＤＭＢ受信装置６２０に伝送する。
【００３６】
つまり、ＤＭＢデータを受信する過程は、人体６００を通じて受信されたＤＭＢ放送信号を、電極６３０、インピーダンス整合回路６４０、及び低周波増幅部６５０を通過させることによって増幅すること、増幅された信号を、上向き周波数変換部６６０を使用して高周波帯域の信号に変換すること、変換された信号を送信アンテナ６７０を通じて地上波ＤＭＢ受信装置６２０に伝送すること、を含む。
【００３７】
本実施形態によって、低周波増幅部６５０及び上向き周波数変換部６６０以外に、他の増幅部及び他の周波数変換部または無線通信用の他の装置を本発明の地上波中継装置６１０に追加することができ、または低周波増幅部６５０及び上向き周波数変換部６６０の配置順序を変えることができる。また、本発明による地上波ＤＭＢ中継装置６１０のうち、電極６３０を除外した残りの部分は、小型に実装されて、既存の人体６００が身につける既存の装置、例えば、腕時計、ネックレス、指輪などの内部に挿入され、電極６３０は、該既存の装置の外部に適切に形成される。
【００３８】
図８は、本発明の他の実施形態に係る、人体をアンテナとして利用した地上波ＤＭＢ受信装置のブロック図である。
【００３９】
図８を参照すれば、本実施形態に係る地上波ＤＭＢ受信装置は、電極８１０、インピーダンス整合回路８２０、低周波増幅部８３０、及び受信回路８８０を含む以外に、図６に示された地上波ＤＭＢ中継装置６１０からＤＭＢデータを受信するための受信アンテナ８４０、高周波増幅部８５０、下向き周波数変換部８６０及び信号選択スイッチ８７０をさらに含む。
【００４０】
すなわち、図８に示された地上波ＤＭＢ受信装置は、電極８１０、インピーダンス整合回路８２０、及び低周波増幅部８３０を含む第１の受信部と、受信アンテナ８４０、高周波増幅部８５０、及び下向き周波数変換部８６０を含む第２の受信部と、信号選択スイッチ８７０と、受信回路８８０とで構成される。
【００４１】
第２の受信部の受信アンテナ８４０は、図６に示される地上波ＤＭＢ中継装置６１０から高周波のＤＭＢ放送信号を受信する。高周波増幅部８５０は、受信した高周波のＤＭＢ放送信号を増幅し、下向き周波数変換部８６０は、増幅したＤＭＢ放送信号の高周波帯域を元のＤＭＢ放送信号の周波数帯域に変換する。
【００４２】
信号選択スイッチ８７０は、第１の受信部によって受信されたＤＭＢ放送信号及び第２の受信部によって受信されたＤＭＢ放送信号のうち、ユーザの選択によって一つを選択し、その選択したＤＭＢ放送信号を受信回路８８０に出力する。
【００４３】
本実施形態によれば、高周波増幅部８５０及び下向き周波数変換部８６０以外に、さらに他の増幅部及び他の周波数変換部または無線通信用の他の装置が本実施形態の地上波ＤＭＢ受信装置６２０に追加され、または高周波増幅部８５０及び下向き周波数変換部８６０の配置順序が変わりうる。
【００４４】
地上波ＤＭＢ受信装置が人体８００と接触する場合には、第１の受信部によってＤＭＢデータを受信する第１経路が信号選択スイッチ８７０を通じて選択されて、図４及び図５で説明したようにＤＭＢデータが受信される。
【００４５】
一方、地上波ＤＭＢ受信装置が人体８００と接触できない場合には、第２経路が信号選択スイッチ８７０を使用して選択され、図６の地上波ＤＭＢ中継装置６１０から送信された高周波信号は受信アンテナ８４０を通じて受信され、高周波増幅部８５０によって増幅される。増幅された信号は、下向き周波数変換部８６０によって、元のＤＭＢ放送信号の周波数帯域に変換され、受信回路８８０に出力される。
【００４６】
地上波ＤＭＢ中継装置６１０の送信アンテナ６７０と地上波ＤＭＢ受信装置の受信アンテナ８４０とは、高周波帯域で使われ、アンテナのサイズは、使用周波数の波長に比例するので、二つのアンテナは、非常に小さく実装される。
【００４７】
また、本発明による地上波ＤＭＢ中継装置および地上波ＤＭＢ受信装置間の送受信は、数ｍ以内の近接な距離で行われるので、地上波ＤＭＢ中継装置及び地上波ＤＭＢ受信装置に使われる高周波増幅部８５０、上向き周波数変換部６６０、下向き周波数変換部８６０は、低電力で動作が可能である。したがって、本発明による地上波ＤＭＢ中継装置及び地上波ＤＭＢ受信装置は、非常に容易に実装されうる。
【００４８】
図９は、本発明の他の実施形態に係る、人体９００をアンテナとして使用した地上波ＤＭＢ受信装置９２０の概念図であり、図１０は、本実施形態に係る、人体９００をアンテナとして使用した図９の地上波ＤＭＢ受信装置９２０のブロック図である。
【００４９】
図９及び図１０を参照すれば、地上波ＤＭＢ受信装置９２０は、アンテナとしての人体９００及び別個のアンテナ９１０を含む。地上波ＤＭＢ受信装置９２０は、人体９００に接触して人体をアンテナとして利用してＤＭＢ信号を受信するための電極１０００と、インピーダンス整合回路１０１０と、低周波増幅部１０２０と、別個のアンテナ９１０を通じてＤＭＢデータを受信するアンテナ端子１０３０と、人体アンテナ９００または別個のアンテナ９１０を通じてＤＭＢ放送を受信するか否かを選択する信号選択スイッチ１０４０と、従来の受信回路１０５０とを含む。
【００５０】
地上波ＤＭＢ受信装置９２０が人体９００と接触する場合に、ユーザは、信号選択スイッチ１０４０を利用して人体アンテナ９００を通じてＤＭＢデータを受信する第１経路を選択する。しかし、地上波ＤＭＢ受信装置９２０が人体９００と接触しない場合、ユーザは、別個のアンテナ９１０を装着した後、信号選択スイッチ１０４０を利用して別個のアンテナ９１０を通じてＤＭＢデータを受信する第２経路を選択する。したがって、地上波ＤＭＢ受信装置が人体９００と接触する場合だけでなく、接触していない場合にも、ＤＭＢ放送信号の受信が可能である。
【００５１】
図１１は、本発明の一実施形態に係る、人体をアンテナとして利用した地上波ＤＭＢ受信方法のフローチャートである。
【００５２】
図１１を参照すれば、人体をアンテナとして利用する場合、まず、人体のインピーダンスと地上波ＤＭＢ受信装置のインピーダンスとの間でのインピーダンス整合を行う（Ｓ１１００）。次いで、人体に接触する電極を使用して、ＤＭＢ放送信号に対応して人体を流れる電流が測定される（Ｓ１１１０）。測定された電流の信号は、非常に微弱であるので、低周波増幅器によって増幅され（Ｓ１１２０）、増幅された信号は、従来の地上波ＤＭＢ受信装置の受信回路に入力される。
【００５３】
これ以外に、図６及び図７で説明した地上波ＤＭＢ中継装置を通じて高周波信号に変換されたＤＭＢ放送信号を受信することができ、この場合には、電極を通じて直接人体から受信したＤＭＢ放送信号を選択するか、または地上波ＤＭＢ中継装置から受信したＤＭＢ放送信号を選択するかをユーザが選択することができる。
【００５４】
以上、本発明についてその望ましい実施形態を中心に説明した。当業者は、本発明が本発明の本質的な特性から逸脱しない範囲で変形された形態で実装されるということが分かるであろう。したがって、開示された実施形態は、限定的な観点でなく、説明的な観点で考慮されねばならない。本発明の範囲は、前述した説明でなく、特許請求の範囲に現れており、それと同等な範囲内にある全ての差異点は、本発明に含まれていると解釈されねばならない。
【図面の簡単な説明】
【００５５】
【図１】地上波ＤＭＢ放送の周波数である２００ＭＨｚ帯域で人体を構成する各種の組織／臓器の導電率を示す図である。
【図２】人体のアンテナ特性をシミュレートするために使用される人体モデルを示す図である。
【図３Ａ】図２の人体モデルを通じてシミュレートされた人体のアンテナ特性を示す図である。
【図３Ｂ】図２の人体モデルを通じてシミュレートされた人体のアンテナ特性を示す図である。
【図４】本発明による人体をアンテナとして利用した地上波ＤＭＢ受信装置の概念図である。
【図５】本発明による人体をアンテナとして利用した図４の地上波ＤＭＢ受信装置のブロック図である。
【図６】本発明による人体をアンテナとして利用した地上波ＤＭＢ受信装置および地上波ＤＭＢ中継装置の概念図である。
【図７】本発明による人体をアンテナとして利用した図６の地上波ＤＭＢ中継装置のブロック図である。
【図８】本発明による人体をアンテナとして利用した地上波ＤＭＢ受信装置のブロック図である。
【図９】本発明による人体をアンテナとして利用した地上波ＤＭＢ受信装置の概念図である。
【図１０】本発明による人体をアンテナとして利用した図９の地上波ＤＭＢ受信装置のブロック図である。
【図１１】本発明による人体をアンテナとして利用した地上波ＤＭＢ受信方法のフローチャートである。
【図１】
2008541604.tif 000003
【図２】
2008541604.tif 000004
【図３Ａ】
2008541604.tif 000005
【図３Ｂ】
2008541604.tif 000006
【図４】
2008541604.tif 000007
【図５】
2008541604.tif 000008
【図６】
2008541604.tif 000009
【図７】
2008541604.tif 000010
【図８】
2008541604.tif 000011
【図９】
2008541604.tif 000012
【図１０】
2008541604.tif 000013
【図１１】
2008541604.tif 000014
【国際調査報告】
2008541604.tif 000015
2008541604.tif 000016